【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
初期アクセスプロシージャに基づいてセルとの接続を確立することと、
前記接続を利用して、間欠送信サイクルと肯定応答スケジュールとを備える定期送信スケジュールを構成することと、
前記間欠送信サイクルのスリープ間隔中に前記セルと通信することを控えることと、
前記定期送信スケジュールに従って、および前記初期アクセスプロシージャに少なくとも部分的に基づいて、前記スリープ間隔の後に前記セルにデータを送信することと、ここにおいて、前記定期送信スケジュールが、前記ＵＥの識別情報（ＩＤ）とフレームインデックスとに基づいて前記ＵＥに関連する、を備える、方法。
【請求項２】
前記肯定応答スケジュールに基づいて前記送信されたデータのための肯定応答を受信することと、
前記定期送信スケジュールおよび前記肯定応答に基づいて後続のスリープ間隔中に低電力モードに入ることとをさらに備える、請求項１に記載の方法。
【請求項３】
前記定期送信スケジュールに基づいて前記セルとデータを交換することより前に高電力モードに入ることをさらに備える、請求項２に記載の方法。
【請求項４】
前記肯定応答スケジュールに基づいて、前記送信されたデータのための肯定応答が受信されていないと決定することと、
前記肯定応答が受信されていないという前記決定に応答して、第２のアクセスプロシージャに基づいて第２の接続を確立することと、
前記第２の接続を使用して前記データを再送信することとをさらに備える、請求項１に記載の方法。
【請求項５】
前記セルと通信することを控えることが、
ランダムアクセスチャネル（ＲＡＣＨ）プロシージャをバイパスすることを備える、請求項１に記載の方法。
【請求項６】
前記セルと通信することを控えることが、
前記セルからの制御チャネル情報を復号することを控えることを備える、請求項１に記載の方法。
【請求項７】
前記定期送信スケジュールが、制御チャネルセグメントの半永続的割当てを備える、請求項１に記載の方法。
【請求項８】
前記半永続的割当てに基づいて前記セルからのリソース許可について制御チャネルを監視することをさらに備える、請求項７に記載の方法。
【請求項９】
チャネルセグメントの前記半永続的割当てが、前記ＵＥの前記ＩＤと前記フレームインデックスとに基づく、請求項７に記載の方法。
【請求項１０】
前記ＩＤが、限られた時間の間前記ＵＥに割り当てられ、前記限られた時間が満了した後に別のＵＥによって再利用可能である、請求項１に記載の方法。
【請求項１１】
前記スリープ間隔が、前記セルの非アクティビティタイマーよりも長い、請求項１に記載の方法。
【請求項１２】
マシンタイプ通信（ＭＴＣ）プロシージャに基づいてネットワークとデータを交換することをさらに備える、請求項１に記載の方法。
【請求項１３】
ユーザ機器（ＵＥ）におけるワイヤレス通信のための装置であって、
初期アクセスプロシージャに基づいてセルとの接続を確立するための手段と、
前記接続を利用して、間欠送信サイクルと肯定応答スケジュールとを備える定期送信スケジュールを構成するための手段と、
前記間欠送信サイクルのスリープ間隔中に前記セルと通信することを控えるための手段と、
前記定期送信スケジュールに従って、および前記初期アクセスプロシージャに少なくとも部分的に基づいて、前記スリープ間隔の後に前記セルにデータを送信するための手段と、ここにおいて、前記定期送信スケジュールが、前記ＵＥのＩＤとフレームインデックスとに基づいて前記ＵＥに関連する、を備える、装置。
【請求項１４】
前記肯定応答スケジュールに基づいて前記送信されたデータのための肯定応答を受信するための手段と、
前記定期送信スケジュールおよび前記肯定応答に基づいて後続のスリープ間隔中に低電力モードに入るための手段とをさらに備える、請求項１３に記載の装置。
【請求項１５】
ユーザ機器（ＵＥ）におけるワイヤレス通信のためのコードを記憶する非一時的コンピュータ可読媒体であって、前記コードが、
初期アクセスプロシージャに基づいてセルとの接続を確立することと、
前記接続を利用して、間欠送信サイクルと肯定応答スケジュールとを備える定期送信スケジュールを構成することと、
前記間欠送信サイクルのスリープ間隔中に前記セルと通信することを控えることと、
前記定期送信スケジュールに従って、および前記初期アクセスプロシージャに少なくとも部分的に基づいて、前記スリープ間隔の後に前記セルにデータを送信することと、ここにおいて、前記定期送信スケジュールが、前記ＵＥの識別情報（ＩＤ）とフレームインデックスとに基づいて前記ＵＥに関連する、を行うために実行可能な命令を備える、非一時的コンピュータ可読媒体。
【手続補正２】
【補正対象書類名】明細書
【補正対象項目名】０１２７
【補正方法】変更
【補正の内容】
【０１２７】
[0142]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation P
artnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
ユーザ機器（ＵＥ）におけるワイヤレス通信の方法であって、
初期アクセスプロシージャに基づいてセルとの接続を確立することと、
前記接続を利用して、間欠送信サイクルと肯定応答スケジュールとを備える定期送信スケジュールを構成することと、
前記間欠送信サイクルのスリープ間隔中に前記セルと通信することを控えることと、
前記定期送信スケジュールに従って、および前記初期アクセスプロシージャに少なくとも部分的に基づいて、前記スリープ間隔の後に前記セルにデータを送信することとを備える、方法。
［Ｃ２］
前記肯定応答スケジュールに基づいて前記送信されたデータのための肯定応答を受信することと、
前記定期送信スケジュールおよび前記肯定応答に基づいて後続のスリープ間隔中に低電力モードに入ることとをさらに備える、Ｃ１に記載の方法。
［Ｃ３］
前記定期送信スケジュールに基づいて前記セルとデータを交換することより前に高電力モードに入ることをさらに備える、Ｃ２に記載の方法。
［Ｃ４］
前記肯定応答スケジュールに基づいて、前記送信されたデータのための肯定応答が受信されていないと決定することと、
前記肯定応答が受信されていないという前記決定に応答して、第２のアクセスプロシージャに基づいて第２の接続を確立することと、
前記第２の接続を使用して前記データを再送信することとをさらに備える、Ｃ１に記載の方法。
［Ｃ５］
前記セルと通信することを控えることが、
ランダムアクセスチャネル（ＲＡＣＨ）プロシージャをバイパスすることを備える、Ｃ１に記載の方法。
［Ｃ６］
前記セルと通信することを控えることが、
前記セルからの制御チャネル情報を復号することを控えることを備える、Ｃ１に記載の方法。
［Ｃ７］
前記定期送信スケジュールが、制御チャネルセグメントの半永続的割当てを備える、Ｃ１に記載の方法。
［Ｃ８］
前記半永続的割当てに基づいて前記セルからのリソース許可について制御チャネルを監視することをさらに備える、Ｃ７に記載の方法。
［Ｃ９］
チャネルセグメントの前記半永続的割当てが、前記ＵＥの識別情報（ＩＤ）とフレームインデックスとに基づく、Ｃ７に記載の方法。
［Ｃ１０］
前記定期送信スケジュールが、前記ＵＥのＩＤとフレームインデックスとに基づいて前記ＵＥに関連する、Ｃ１に記載の方法。
［Ｃ１１］
前記ＩＤが、限られた時間の間前記ＵＥに割り当てられ、前記限られた時間が満了した後に別のＵＥによって再利用可能である、Ｃ１０に記載の方法。
［Ｃ１２］
前記スリープ間隔が、前記セルの非アクティビティタイマーよりも長い、Ｃ１に記載の方法。
［Ｃ１３］
マシンタイプ通信（ＭＴＣ）プロシージャに基づいてネットワークとデータを交換することをさらに備える、Ｃ１に記載の方法。
［Ｃ１４］
ユーザ機器（ＵＥ）におけるワイヤレス通信のための装置であって、
初期アクセスプロシージャに基づいてセルとの接続を確立するための手段と、
前記接続を利用して、間欠送信サイクルと肯定応答スケジュールとを備える定期送信スケジュールを構成するための手段と、
前記間欠送信サイクルのスリープ間隔中に前記セルと通信することを控えるための手段と、
前記定期送信スケジュールに従って、および前記初期アクセスプロシージャに少なくとも部分的に基づいて、前記スリープ間隔の後に前記セルにデータを送信するための手段とを備える、装置。
［Ｃ１５］
前記肯定応答スケジュールに基づいて前記送信されたデータのための肯定応答を受信するための手段と、
前記定期送信スケジュールおよび前記肯定応答に基づいて後続のスリープ間隔中に低電力モードに入るための手段とをさらに備える、Ｃ１４に記載の装置。
［Ｃ１６］
前記定期送信スケジュールに基づいて前記セルとデータを交換することより前に高電力モードに入るための手段をさらに備える、Ｃ１５に記載の装置。
［Ｃ１７］
前記肯定応答スケジュールに基づいて、前記送信されたデータのための肯定応答が受信されていないと決定するための手段と、
前記肯定応答が受信されていないという前記決定に応答して、第２のアクセスプロシージャに基づいて第２の接続を確立するための手段と、
前記第２の接続を使用して前記データを再送信するための手段とをさらに備える、Ｃ１４に記載の装置。
［Ｃ１８］
前記セルと通信することを控えることが、
ランダムアクセスチャネル（ＲＡＣＨ）プロシージャをバイパスすることを備える、Ｃ１４に記載の装置。
［Ｃ１９］
前記セルと通信することを控えることが、
前記セルからの制御チャネル情報を復号することを控えることを備える、Ｃ１４に記載の装置。
［Ｃ２０］
前記定期送信スケジュールが、制御チャネルセグメントの半永続的割当てを備える、Ｃ１４に記載の装置。
［Ｃ２１］
前記半永続的割当てに基づいて前記セルからのリソース許可について制御チャネルを監視するための手段をさらに備える、Ｃ２０に記載の装置。
［Ｃ２２］
チャネルセグメントの前記半永続的割当てが、前記ＵＥの識別情報（ＩＤ）とフレームインデックスとに基づく、Ｃ２０に記載の装置。
［Ｃ２３］
前記定期送信スケジュールが、前記ＵＥのＩＤとフレームインデックスとに基づいて前記ＵＥに関連する、Ｃ１４に記載の装置。
［Ｃ２４］
前記ＩＤが、限られた時間の間前記ＵＥに割り当てられ、前記限られた時間が満了した後に別のＵＥによって再利用可能である、Ｃ２３に記載の装置。
［Ｃ２５］
前記スリープ間隔が、前記セルの非アクティビティタイマーよりも長い、Ｃ１４に記載の装置。
［Ｃ２６］
マシンタイプ通信（ＭＴＣ）プロシージャに基づいてネットワークとデータを交換するための手段をさらに備える、Ｃ１４に記載の装置。
［Ｃ２７］
ユーザ機器（ＵＥ）におけるワイヤレス通信のための装置であって、
プロセッサと、
前記プロセッサと電子通信しているメモリと、
前記メモリに記憶された命令とを備え、ここにおいて、前記命令が、
初期アクセスプロシージャに基づいてセルとの接続を確立することと、
前記接続を利用して、間欠送信サイクルと肯定応答スケジュールとを備える定期送信スケジュールを構成することと、
前記間欠送信サイクルのスリープ間隔中に前記セルと通信することを控えることと、
前記定期送信スケジュールに従って、および前記初期アクセスプロシージャに少なくとも部分的に基づいて、前記スリープ間隔の後に前記セルにデータを送信することとを行うために前記プロセッサによって実行可能である、装置。
［Ｃ２８］
前記命令が、
前記肯定応答スケジュールに基づいて前記送信されたデータのための肯定応答を受信することと、
前記定期送信スケジュールおよび前記肯定応答に基づいて後続のスリープ間隔中に低電力モードに入ることとを行うために前記プロセッサによって実行可能である、Ｃ２７に記載の装置。
［Ｃ２９］
前記命令が、
前記肯定応答スケジュールに基づいて、前記送信されたデータのための肯定応答が受信されていないと決定することと、
前記肯定応答が受信されていないという前記決定に応答して、第２のアクセスプロシージャに基づいて第２の接続を確立することと、
前記第２の接続を使用して前記データを再送信することとを行うために前記プロセッサによって実行可能である、Ｃ２７に記載の装置。
［Ｃ３０］
ユーザ機器（ＵＥ）におけるワイヤレス通信のためのコードを記憶する非一時的コンピュータ可読媒体であって、前記コードが、
初期アクセスプロシージャに基づいてセルとの接続を確立することと、
前記接続を利用して、間欠送信サイクルと肯定応答スケジュールとを備える定期送信スケジュールを構成することと、
前記間欠送信サイクルのスリープ間隔中に前記セルと通信することを控えることと、
前記定期送信スケジュールに従って、および前記初期アクセスプロシージャに少なくとも部分的に基づいて、前記スリープ間隔の後に前記セルにデータを送信することとを行うために実行可能な命令を備える、非一時的コンピュータ可読媒体。